(57)【要約】      （修正有）【課題】フレームの平坦部が原稿ガイドに載り上がらないようにし、シート部材の外周部分に折れ癖がつき難い原稿マットを備える画像読み取り装置を提供する。【解決手段】原稿台に載置されている反射原稿を照明する第一照明部と、前記原稿台に載置されている透過原稿を照明する第二照明部と、前記原稿台の下方に設けられ前記反射原稿および前記透過原稿を読み取る読み取りユニットと、前記第二照明部に脱着可能に支持される原稿マットであって、平坦部と前記平坦部の外周を囲む縁部とを有するフレームと、前記平坦部に張った状態で支持され前記反射原稿を押さえるシート部材とを有し、前記シート部材が前記反射原稿を押さえる姿勢のとき、前記シート部材の端が前記原稿ガイドの前記開口を形成する内周面近傍に位置し、前記平坦部の端が前記シート部材の端より前記内周面から離間し、前記縁部の下面が上方に傾斜する原稿マットと、を備える画像読み取り装置。【選択図】図１
2007036998.tif 000002
【特許請求の範囲】
【請求項１】
開口を有する原稿ガイドと、
前記開口を下方から閉塞する透明な原稿台と、
前記原稿台の下方に設けられ前記原稿台に載置されている反射原稿を照明する第一照明部と、
前記原稿台の上方に設けられ前記原稿台に載置されている透過原稿を照明する第二照明部と、
前記原稿台の下方に設けられ前記反射原稿および前記透過原稿を読み取る読み取りユニットと、
前記第二照明部に脱着可能に支持される原稿マットであって、平坦部と前記平坦部の外周を囲む縁部とを有するフレームと、前記平坦部に張った状態で支持され前記反射原稿を押さえるシート部材とを有し、前記シート部材が前記反射原稿を押さえる姿勢のとき、前記シート部材の端が前記原稿ガイドの前記開口を形成する内周面近傍に位置し、前記平坦部の端が前記シート部材の端より前記内周面から離間し、前記縁部の下面が上方に傾斜する原稿マットと、
を備える画像読み取り装置。
【請求項２】
前記フレームは前記開口より一回り大きく形成されており、
前記縁部は前記原稿ガイドに当接することなく上方に傾斜している請求項１に記載の画像読み取り装置。
【請求項３】
前記原稿ガイドは、前記内周面に連なり前記縁部の下面とおおむね平行に延びる斜面を備える請求項１又は２に記載の画像読み取り装置。
【請求項４】
前記フレームは矩形に形成され、
前記縁部は稜線部が面取りされている請求項１、２又は３に記載の画像読み取り装置。
【請求項５】
前記斜面の傾斜角度は、前記原稿台の盤面に対して上方に４５°以内である請求項１〜４のいずれか一項に記載の画像読み取り装置。
【発明の詳細な説明】
【技術分野】
【０００１】
本発明は画像読み取り装置に関し、特に脱着可能な原稿マットを備える画像読み取り装置に関する。
【背景技術】
【０００２】
従来、透過原稿用光源を内蔵する原稿カバーを備える画像読み取り装置が知られている。このような画像読み取り装置は一般に原稿を押さえる原稿マットを脱着可能に備えており、原稿マットは透過原稿を読み取るとき原稿カバーから外され、反射原稿を読み取るとき原稿カバーに装着される。
一般に原稿マットは板状のウレタン材を備え、ウレタン材を用いて原稿を押さえている。しかしながら、ウレタン材は厚みがあるので原稿マットの厚みが増し、画像読み取り装置の体格が高さ方向に大きくなるという問題がある。
【０００３】
図７に示すように平坦部１０４を有するフレーム１０２と平坦部１０４に張った状態で支持されているシート部材１０６とで原稿マット１００を構成すると、ウレタン材が不要になるので画像読み取り装置の体格を小さくできる。
フレーム１０２とシート部材１０６とで原稿マット１００を形成する場合、フレーム１０２の平坦部１０４を開口１２０と同じ大きさに形成すると、原稿マット１００の位置決め精度の誤差により、原稿カバーを閉じる際に平坦部１０４が原稿ガイド１０８に乗り上げてしまう畏れがある。従って、少なくとも平坦部１０４は開口１２０よりも小さく形成することが望ましい。しかしながら、平坦部１０４を開口１２０より小さくすると、シート部材１０６の外周部分１１４が平坦部１０４に支持されない状態になってしまう。この場合、図７に示すように平坦部１０４に連なる壁部１０５が平坦部１０４に対して垂直に立ち上がっていると、ユーザが原稿マット１００を扱っている際に外周部分１１４がフレーム１０２の方向に押されてシート部材１０６が直角に折れ曲がってしまう可能性がある。これが何度も繰り返されるとシート部材１０６に折れ癖がつき、シート部材１０６の外周部分１１４が原稿台１１０から浮いて原稿１１２を押さえられなくなる畏れがある。
【発明の開示】
【発明が解決しようとする課題】
【０００４】
本発明は、フレームの平坦部が原稿ガイドに載り上がらないよう平坦部を原稿ガイドの開口より小さく形成しつつシート部材の外周部分に折れ癖がつき難い原稿マットを備える画像読み取り装置を提供することを目的とする。
【課題を解決するための手段】
【０００５】
（１）上記目的を達成するための画像読み取り装置は、開口を有する原稿ガイドと、前記開口を下方から閉塞する透明な原稿台と、前記原稿台の下方に設けられ前記原稿台に載置されている反射原稿を照明する第一照明部と、前記原稿台の上方に設けられ前記原稿台に載置されている透過原稿を照明する第二照明部と、前記原稿台の下方に設けられ前記反射原稿および前記透過原稿を読み取る読み取りユニットと、前記第二照明部に脱着可能に支持される原稿マットであって、平坦部と前記平坦部の外周を囲む縁部とを有するフレームと、前記平坦部に張った状態で支持され前記反射原稿を押さえるシート部材とを有し、前記シート部材が前記反射原稿を押さえる姿勢のとき、前記シート部材の端が前記原稿ガイドの前記開口を形成する内周面近傍に位置し、前記平坦部の端が前記シート部材の端より前記内周面から離間し、前記縁部の下面が上方に傾斜する原稿マットと、を備える。
本発明によると、フレームの平坦部の端が開口の内周面から離間しているので、平坦部が原稿ガイドに載り上がることを防止できる。本発明では平坦部の端がシート部材よりも内周面から離間しているので、シート部材は外周部分が平坦部に支持されない。このため、ユーザがシート部材の外周部分をフレーム側に押すと、シート部材はフレーム側に曲がってしまう。しかしながら、フレームの縁部の下面は傾斜しているので、外周部分がフレーム側に押されても縁部の下面に当接することによって直角に折れ曲がることを防止できる。このため、シート部材に折れ癖がつき難い。よって本発明によると、フレームの平坦部が原稿ガイドに載り上がらないよう平坦部を原稿ガイドの開口より小さく形成しつつシート部材の外周部分に折れ癖を付き難くできる。従って、シート部材の外周部分に折れ癖がついて原稿台から浮いてしまい、それにより原稿を押さえられなくなることを防止できる。
（２）前記フレームは前記開口より一回り大きく形成されており、前記縁部は前記原稿ガイドに当接することなく上方に傾斜していてもよい。
フレームを開口より一回り大きく形成すると、シート部材がフレームからはみ出さない。このため、ユーザが原稿マットを取り外して扱っている際、ユーザはフレームがあることによってシート部材の角部に触れ難くなる。従って、ユーザが原稿マットを扱っている際にシート部材の角部で怪我をする可能性を低減できる。また、縁部は原稿ガイドに当接することなく上方に傾斜するので、フレームを開口より一回り大きく形成してもフレームが原稿ガイドに乗り上げることを防止できる。
【０００６】
（３）前記原稿ガイドは、前記内周面に連なり前記縁部の下面とおおむね平行に延びる斜面を備えてもよい。
原稿ガイドが縁部の下面とおおむね平行な斜面を備えることにより、縁部の下面の傾斜をよりなだらかにすることができるので、シート部材の外周部分に折れ癖がよりつき難くなる。
【０００７】
（４）前記フレームは矩形に形成され、前記縁部は稜線部が面取りされていてもよい。
フレームが矩形に形成されている場合、縁部の稜線部を面取りすると、２つの稜線部が直角に交わる箇所に尖った角ができないので、ユーザが尖った角に触れて怪我をすることを防ぐことができる。
【０００８】
（５）前記斜面の傾斜角度は、前記原稿台の盤面に対して上方に４５°以内であってもよい。
【発明を実施するための最良の形態】
【０００９】
以下、実施例に基づいて本発明の実施の形態を説明する。
（１）構成
図２は、本発明の一実施例に係る画像読み取り装置としてのイメージスキャナ１の構造を示す模式図である。イメージスキャナ１は、原稿台１０に載置された反射原稿や透過原稿を読み取るフラットベッド型で、密着型のイメージセンサを備える画像読み取り装置である。
【００１０】
メインハウジング１２は、原稿台１０、キャリッジ１４、キャリッジ１４を牽引する図示しないベルト、ベルトを回転させる図示しないモータなどを収容している。メインハウジング１２の上壁１６には、矩形の開口１７が形成されている。
原稿台１０は、ガラス板等の透明板で形成され、その盤面上に現像済み写真フィルム等の透過原稿、及び印刷文書や写真等の反射原稿が載置される。原稿台１０は、メインハウジング１２の開口１７を下方から閉塞している。上壁１６の開口１７を形成する内周面１５に原稿１８を当接させることにより、原稿台１０上における原稿１８の位置決めが可能となる。すなわち上壁１６はメインハウジング１２の一部であるとともに、原稿台１０上に原稿を位置決めするための原稿ガイドでもある。なお、例えばＬ字状の原稿ガイドをハウジング１７とは別体に備えてもよい。
【００１１】
キャリッジ１４は、第一照明部２０とレンズアレイ２２とリニアイメージセンサ２４とを搭載している。読み取りユニットとしてのリニアイメージセンサ２４は図示しないプリント基板に実装される密着型イメージセンサで、直線状に一列に配列された複数の受光素子、ＭＯＳトランジスタスイッチ等で構成される。第一照明部２０は、導光体、ＬＥＤ等で構成され、原稿１８の走査線近傍を照明する。レンズアレイ２２は直線状に配列された複数の円柱状のロッドレンズを備え、第一照明部２０に照明された原稿１８の主走査線上の反射光像をリニアイメージセンサ２４の受光面に結像させる。リニアイメージセンサ２４は、結像された光学像を走査し、その光学像の濃淡に相関する電気信号を出力する。リニアイメージセンサ２４から出力された電気信号は、図示しないアナログフロントエンド部、ディジタル画像処理部においてディジタル画像データに変換される。
【００１２】
キャリッジ１４を案内するガイド２６は、メインハウジング１２に副走査方向に架設されている。キャリッジ１４はガイド２６に摺動自在に支持されており、図示しないベルトに係止されている。図示しないベルトは図示しないモータによって回転し、キャリッジ１４を副走査方向に搬送する。
サブハウジング２８は透過原稿照明部３０を収容し、図示しないヒンジにより原稿台１０の盤面を開放する姿勢から原稿台１０の盤面を覆う姿勢に回動可能にメインハウジング１２に連結されている。透過原稿照明部３０は蛍光管、導光板、リフレクタ等で構成されている。サブハウジング２８及び透過原稿照明部３０は第二照明部に相当する。
【００１３】
原稿マット２は、サブハウジング２８に脱着可能に支持されている。原稿マット２はフレームとシート部材とで構成されているが、図２ではフレームのみを示し、シート部材については省略して示している。原稿マット２は原稿台１０の盤面に載置された反射原稿１８を押さえて原稿台１０に密着させるものである。原稿マット２は反射原稿を読み取る際にサブハウジング２８に装着され、フィルム等の透過原稿を読み取る際に取り外される。
【００１４】
（２）原稿マットの構成
図３は、原稿マット２の外観を示す斜視図、図４は、原稿マット２を分解した状態を示す斜視図である。原稿マット２はフレーム３２及びシート部材３４を備えている。
図４に示すようにフレーム３２は樹脂等により矩形の板状に形成されており、平坦部４６及び縁部４８を備える。平坦部４６は原稿マット２が反射原稿を抑える姿勢のとき原稿台１０側となる面４７が平坦に形成されている。平坦部４６には図示するように複数の開口４６ａが縦方向および横方向に配列されて形成されている。
【００１５】
縁部４８は平坦部４６の外周を囲んでいる。縁部４８の稜線部５１（図３参照）は面取りされている。稜線部５１を面取りすると、稜線部５１が直角に交わる角部が尖った形状に形成されないので、ユーザが尖った角部で怪我をすることを防止できる。
シート部材３４は、フレーム３２の平坦部４６に両面粘着テープ５３によって平らに張られている。シート部材３４はポリエステルフィルム等で形成されているシート状の部材であり、原稿台１０上の原稿載置面１０ａ（図２参照）の概ね全体を覆う矩形に形成されている。シート部材３４の原稿台１０に相対する面は白色である。
【００１６】
図５は、シート部材３４が反射原稿を押さえる姿勢の原稿マット２を示す上面図である。フレーム３２の一辺には２つの係止部３６が互いに離間して設けられており、対抗する辺の中央近傍には係止部３８が設けられている。係止部３６はサブハウジング２８に対してフレーム３２を位置決めするための凸部４０を有している。また、係止部３８はサブハウジング２８のフックに係合する開口４２を有している。
【００１７】
図６は、原稿マット２を装着したサブハウジング２８を原稿台１０方向から見た平面図である。サブハウジング２８は原稿マット２の係止部３６に対応する位置に図示しない係止穴が形成されており、係止部３６は図示しない係止穴に挿入されてサブハウジング２８に係止される。サブハウジング２８の係止穴の内壁面には係止部３６の凸部４０に対応する位置に嵌合穴が形成されており、係止部３６は凸部４０が嵌合穴に嵌合することによりサブハウジング２８に位置決めされて係止される。サブハウジング２８の係止部３８に対応する位置にはフックが形成されており、フックが開口４２に挿入されることにより係止部３８がサブハウジング２８に係止される。これにより原稿マット２がサブハウジング２８に脱着可能に支持される。
【００１８】
図１（Ａ）は図５のＩ−Ｉ線の断面図、図１（Ｂ）は図１（Ａ）に示す破線５５内の拡大図である。図１（Ｂ）ではフレーム３２の平坦部４６と縁部４８との境を破線５６で示しており、破線５６より左が縁部４８であり、破線５６より右側が平坦部４６である。平坦部４６の端５４は、フレーム３２と破線５６とが交差している位置である。
メインハウジング１２の開口１７（図２参照）は、原稿台１０から鉛直に立ち上がる内周面１５と、内周面１５に連なり縁部４８の下面４９とおおむね平行に延びる斜面４４とにより形成されている。斜面４４を設けると、縁部４８の下面４９の傾斜をよりなだらかにできるので、シート部材３４の外周部分５０に折れ癖がよりつき難くなる。
【００１９】
平坦部４６は、端５４が内周面１５から所定距離離間している。すなわち、平坦部４６は上壁１６の開口１７より小さく形成されている。従ってサブハウジング２８が原稿台１０を閉塞する姿勢に回動されても平坦部４６は斜面４４に乗り上げない。
縁部４８は、図示するようにシート部材３４が反射原稿を押さえる姿勢のとき、上壁１６の開口１７近傍の上方を覆っている。縁部４８の下面４９は所定の傾斜角度を持ってメインハウジング１２の上壁１６に当接することなく上方に傾斜している。本実施例では縁部４８の下面４９は斜面４４に概ね平行に傾斜している。
【００２０】
シート部材３４が反射原稿を押さえる姿勢のとき、シート部材３４の端５２は内周面１５の近傍に位置しており、平坦部４６の端５４はシート部材３４の端５２より内周面１５から離間している。このため、シート部材３４は平坦部４６の端５４より左側の外周部分５０が平坦部４６に支持されていない。
【００２１】
次に、シート部材３４の折れ癖をつき難くする作動について説明する。
前述したように平坦部４６の端５４がシート部材３４よりも内周面から離間しているので、シート部材３４は外周部分５０が平坦部４６に支持されない。このため、外周部分５０を図１（Ｂ）において上側に押すとシート部材３４は上側に曲がる。しかしながら、フレーム３２の縁部４８の下面４９は平坦部４６の下面４７に対してなだらかに傾斜しているので、縁部４８の下面４９が平坦部４６の下面４７に対して９０度に立ち上がっている場合に比べ、シート部材３４の外周部分５０が曲がる角度が浅くなる。従って、シート部材３４の外周部分５０に折れ癖がつき難くなる。
【００２２】
以上説明した本発明の一実施例に係るイメージスキャナ１によると、フレーム３２の平坦部４６を上壁１６に載り上がらないよう上壁１６の開口１７より小さく形成しつつ、シート部材３４の外周部分５０に折れ癖をつき難くできる。従って、シート部材３４の外周部分５０に折れ癖がついて原稿台１０から浮いてしまい、それにより原稿を押さえられなくなることを防止できる。
【００２３】
なお、シート部材３４の外周部分５０に折れ癖がつくことをより確実に防止するには、下面４９の傾斜角度は、原稿台１０の盤面に対して上方に４５°以内であることが望ましい。
また、イメージスキャナ１によると、前述したように縁部４８は上壁１６の開口１７近傍の上方を覆っている。すなわち、フレームは開口１７より一回り大きく形成されている。このため、シート部材３４は図１（Ａ）に示すようにフレーム３２から横方向にはみ出さない。このため、ユーザが原稿マット２を取り外して扱っている際、ユーザはフレーム３２があることによってシート部材３４の角部に触れ難い。従って、ユーザが原稿マット２を扱っている際にシート部材３４の角部で怪我をする可能性を低減できる。
【図面の簡単な説明】
【００２４】
【図１】本発明の第一実施例にかかる断面図。
【図２】本発明の第一実施例にかかる模式図。
【図３】本発明の第一実施例にかかる斜視図。
【図４】本発明の第一実施例にかかる斜視図。
【図５】本発明の第一実施例にかかる平面図。
【図６】本発明の第一実施例にかかる平面図。
【図７】従来の原稿マットにかかる模式図。
【符号の説明】
【００２５】
１：イメージスキャナ（画像読み取り装置）、２：原稿マット、１０：原稿台、１２：メインハウジング（原稿ガイド）、１５：内周面、１６：上壁（原稿ガイド）、１７:開口、１８：原稿、２０：第一照明部、２４：リニアイメージセンサ（読み取りユニット)、２８：サブハウジング（第二照明部)、３０：透過原稿照明部（第二照明部）３２：フレーム、３４：シート部材、４４：斜面、４６：平坦部、４８：縁部、４９：下面、５２：端、５４：端
【図１】
2007036998.tif 000003
【図２】
2007036998.tif 000004
【図３】
2007036998.tif 000005
【図４】
2007036998.tif 000006
【図５】
2007036998.tif 000007
【図６】
2007036998.tif 000008
【図７】
2007036998.tif 000009